(57)【要約】【課題】外出しようとする利用者個人に対して、利用者の身体状態やそのときの天気に対応して最適な服飾アイテムを玄関において提案することができる玄関システムを提供することにある。【解決手段】システムの中枢となる制御手段６は、玄関Ｅｎに設けられ、利用者の外出を検出する外出情報取得手段１からの外出情報と、玄関Ｅｎに設けられ、利用者の身体情報を取得する身体情報取得手段からの身体情報と、前記外環境情報取得手段から外気温情報を含む屋外環境情報から当該利用者に服飾アイテム情報を報知装置７により提示する機能を備えている。【選択図】図１
2006301973.tif 000002
【特許請求の範囲】
【請求項１】
玄関に設けられた利用者の外出を検出する外出情報取得手段と、前記玄関に設けられ、利用者の身体情報を取得する身体情報取得手段と、屋外環境情報を取得する外環境取得手段と、前記外環境取得手段が取得する屋外環境情報と前記身体情報取得手段が取得した前記身体情報とから当該利用者に服飾アイテム情報を提示する制御手段とを備えたことを特徴とする玄関システム。
【請求項２】
前記玄関に設けられ前記外出取得情報手段で検出された外出する利用者を特定する個人特定手段と、各利用者の所有する服飾関連品の所有情報を記憶する記憶手段とを備え、前記制御手段は、前記屋外環境情報と前記身体情報と前記個人特定手段からの個人特定情報とで外出する利用者を特定して当該利用者の所有情報から服飾関連品を選択して提示する前記服飾アイテム情報を生成することを特徴とする請求項１記載の玄関システム。
【発明の詳細な説明】
【技術分野】
【０００１】
本発明は、その日の屋外の環境状態に基づいて外出する利用者（住人）に服飾アイテムを提示する玄関システムに関するものである。
【背景技術】
【０００２】
一般に外出する前の準備として、降水確率、外気温情報等の天気情報を新聞、テレビ、ラジオなどで確認することが一般的であり、外出しようとする者は、天気情報に基づいて衣服を選択する。しかし、実際に外出する際には例えば、傘、コートなど宅内にいるときには身に付けていない服飾アイテムについて、忘れてしまうことが多い。一旦外に出てから忘れたことに気づき、宅内に戻り再度準備するという不便さや、帰宅時に雨が降ってきたにもかかわらず、傘を携帯していないという不便さがある。
【０００３】
そこで、天気予報に応じて外出時の行動を指示するシステムが提案されている（例えば特許文献１）。
【０００４】
このシステムは端末が自動的に天気予報をネットワークなどから取り込み、利用者の行き先の天気に応じて、傘、レインコート、防水靴などの持参、着服などの行動指示を玄関先に設けた表示器で表示するものである。
【特許文献１】特開２００３−２１６７５２号公報（段落番号００３４）
【発明の開示】
【発明が解決しようとする課題】
【０００５】
上述の特許文献１に開示されているシステムでは、外出時の天気に対応した持参品や着服について指示ができるものの、外出しようとする利用者個人の体調等に合った指示はできなかった。
【０００６】
本発明は、上記の点に鑑みて為されたもので、その目的とするところは外出しようとする利用者個人に対して、利用者の身体状態やそのときの屋外の環境状態に対応して最適な服飾アイテムを玄関において提案することができる玄関システムを提供することにある。
【課題を解決するための手段】
【０００７】
上述の目的を達成するために、請求項１の発明では、玄関に設けられた利用者の外出を検出する外出情報取得手段と、前記玄関に設けられ、利用者の身体情報を取得する身体情報取得手段と、屋外環境情報を取得する外環境取得手段と、前記外環境取得手段が取得する屋外環境情報と前記身体情報取得手段が取得した前記身体情報とから当該利用者に服飾アイテム情報を提示する制御手段とを備えたことを特徴とする。
【０００８】
請求項１の発明によれば、外出しようとする利用者個人に対して、利用者の身体状態やそのときの天気等を含めた屋外の環境状態に対応して最適な服飾アイテムを玄関において提案することができ、そのため利用者にとってそのときの体調にあった服装等を選択することも可能となり、服飾アイテムのミスマッチにより体調を崩す可能性を低下させることができる。
【０００９】
請求項２の発明では、請求項１の発明において、前記玄関に設けられ前記外出取得情報手段で検出された外出する利用者を特定する個人特定手段と、各利用者の所有する服飾関連品の所有情報を記憶する記憶手段とを備え、前記制御手段は、前記屋外環境情報と前記身体情報と前記個人特定手段からの個人特定情報とで外出する利用者を特定して当該利用者の所有情報から服飾関連品を選択して提示する前記服飾アイテム情報を生成することを特徴とする。
【００１０】
請求項２の発明によれば、玄関で利用者の所有する服装を含めた服飾関連品から選択された服飾アイテムを提案できるので、利用者が自身で服飾関連品を選択する手間が省けてる。
【発明の効果】
【００１１】
本発明は、外出しようとする利用者個人に対して、利用者の身体状態やそのときの屋外の環境状態に最適な服飾アイテムを玄関において提案することができ、そのため利用者にとってそのときの体調にあった服装等を選択することも可能となり、服飾アイテムのミスマッチにより体調を崩す可能性を低下させることができるという効果がある。
【発明を実施するための最良の形態】
【００１２】
以下本発明を実施形態により説明する。
【００１３】
（実施形態１）
図１は本実施形態のシステム構成を示し、図２に本実施形態の玄関周りの配置例を示す。
本実施形態のシステムでは、住人たる利用者の外出情報を音声で取得する外出情報取得手段１と、外出しようとする利用者を特定する個人特定手段２と、外出しようとする利用者の身体情報を取得する身体情報取得手段３と、外気温情報や天気予報情報、更に花粉情報、黄砂情報からなる屋外環境情報を情報を取得する外環境情報取得手段４と、各利用者が所有する服装を含む服飾関連品の所有情報や、個人特定のための各利用者の個人情報等を記憶している記憶手段５と、個人特定情報、身体特定情報、屋外環境情報、更に外出情報から外出しようとする利用者の所有情報から服装を含め最適にコーディネートした服飾アイテム情報を生成する機能を備えた制御手段６と、制御手段６を通じて送られてくる天気情報及び服飾アイテム情報を報知するディスプレイＤＳ及びスピーカＳＰからなる報知装置７と、服飾管理装置１０とで構成される。
【００１４】
外出情報取得手段１は、図２に示すように玄関Ｅｎの踊り場の壁面に設けた人感センサＳ、マイクＭＣ、音声認識部１０とから構成され、人感センサＳが人を感知すると、マイクＭＣの音声入力が可能になり、そこで利用者が何らかの発話を行って音声を入力すると、その音声信号を音声認識部１０が取り込み、音声内容を認識して、その認識結果が外出の意志を示すものであれば、制御手段６へトリガ情報を出力するようになっている。また発話内容に行き先が含まれている場合には例えばテキストとして情報を制御手段６へ出力する。
【００１５】
個人特定手段２は、人感センサＳを共用し、この人感センサＳと玄関Ｅｎの踊り場を撮像する撮像カメラＣＭと画像処理部２０とで構成され、人感センサＳが人を感知すると、撮像カメラＣＭが起動して踊り場にいる利用者を撮像してこの撮像した画像を画像処理部２０へ送り、画像処理部２０は撮像画像から顔部分を抽出して、この顔部分の画像と、記憶手段５に登録している各利用者の顔画像データとの照合を行い、一致する顔画像データがあると、対応付けて登録している利用者の利用者ＩＤを取り込んで利用者を特定し、この特定結果である利用者ＩＤを制御手段６に送出する。尚人感センサＳが人を感知しなくなると撮像カメラＣＭの動作もオフする。尚個人特定手段２としてはテンキーを用いた利用者による入力操作や、音声による認証を用いたものでもよい。
【００１６】
身体情報取得手段３は玄関Ｅｎに設けられた玄関Ｅｎにいる利用者の身体表面温度を測定する体温測定計からなり、利用者の体温情報を身体情報として取得するようになっており、取得された体温情報は制御手段６に送出する。尚身体情報取得手段３としては手動ボタン操作や、音声によって利用者自身が入力する身体情報を取得するものでも、血圧計を用いて血圧測定情報を取得するものでもよい。
【００１７】
外環境情報取得手段４は天気予報提供会社のサーバ８からインターネット９を介して、予め登録された利用者宅を考慮した天気情報（降水確率、外気温情報など）を受信取得するもので、取得した天気情報を制御手段６に送出する機能と、制御手段６から屋外環境情報の検索要求情報を受信した際にはその情報に含まれる場所情報を考慮した屋外環境情報を天気予報情報提供会社のサーバ８から受信し、制御手段６に送出する機能とを備えている。
【００１８】
制御手段６は外出情報取得手段１からトリガー情報を受信すると動作を開始し、外環境情報取得手段４から送られてくる屋外環境情報と個人特定手段２から得られる利用者ＩＤ情報、身体情報取得手段３から受け取る身体表面温度などの身体情報、外環境情報取得手段４から受け取る屋外環境情報から最適な服飾アイテムを提案する機能を備えている。
【００１９】
図３は服飾アイテムの提案処理のフローチャートを示している。次にこの制御手段４の動作を図３のフローチャートにより簡単に説明する。
【００２０】
制御手段６は外出情報取得手段１からトリガ情報を受信すると動作を開始し（ステップＳＴ１）、ステップＳＴ２で外環境情報取得手段４から屋外環境情報を受け取り、更にステップＳＴ３で個人特定手段２から利用者ＩＤを、ステップＳＴ４で、身体情報取得手段３から利用者の体温情報、外環境情報取得手段４から利用者宅を考慮した屋外環境情報を受信する。
【００２１】
次のステップＳＴ５に外出取得情報手段４から行き先情報を取得のチェックを行い行き先情報を取得した場合にはステップＳＴ６で行き先情報に該当の屋外環境情報の検索情報を外環境情報取得手段４に送出し、ステップＳＴ７で外環境情報取得手段４から屋外環境情報を受信する。
【００２２】
次にコートの要不要の判断であるが、受信した屋外環境情報の中の外気温情報を用いて行う。
【００２３】
まずステップＳＴ８で、利用者の身体情報に基づき予め設定されたコートを必要とする外気温閾値を設定し、次のステップＳＴ９、ＳＴ１０で外気温情報とその閾値からコートの要不要判断を行う。
【００２４】
コートが必要と判断された場合には制御手段６は、ステップＳＴ１１で服飾管理装置１０にコート検索要求を送出し、ステップＳＴ１２で服飾管理装置８から利用者の所有コート情報を受け取り、利用者の所有コート情報を報知装置７に送出する（ステップＳＴ１３）。
【００２５】
ステップＳＴ１０でコートが不要と判断された場合、及びステップＳＴ１３の処理が終了した後、更に利用者の身体情報、屋外環境情報、コート要不要情報を報知装置７に送出する（ステップＳＴ１４）。
【００２６】
上述のように本実施形態では受信した利用者の身体情報に基づいて外気温閾値を設定することで利用者の体調に合わせたコート提案ができることになる。
【００２７】
例えば身体情報の中の身体表面温度に閾値を設定し利用者の身体表面温度が閾値を超えていると熱があるとして、外気温閾値を予め利用者毎に設定した温度分上昇させる。そうすることで風邪ぎみなど体調が悪い際に平常時はコートを着なくてよい外気温でもコートの提案を行うことができるのである。尚実施形態では身体表面温度を用いて外気温閾値を制御するようにしているが玄関に血圧計を設置し、その測定血圧値が異常値を示した場合に外気温閾値を上げるようにしても良い。
【００２８】
表１は外気温閾値の設定例を示す。
【００２９】
【表１】
2006301973.tif 000003
【００３０】
コート以外の例えば手袋、マフラーなどの服飾アイテムの必要性判断を行ってもよい。
【００３１】
ここで、本実施形態で用いる服飾管理装置８について図４により簡単に説明する。服飾管理装置１０は図示するようにクローゼット１１内に設けられ、クローゼット１１前に立つ利用者をハーフミラー１００を介して撮像カメラ８０で撮像し、この撮像データを画像処理装置１０１により、利用者Ｍの着衣している服や、携行或いは装着している服飾関連品の画像を抽出し、また、服や服飾関連品に付けているＩＤタグの情報をリーダ・ライタ装置１０３により読み取って服や服飾関連品からなる服飾アイテムを特定するとともに利用者Ｍを特定し、これら抽出画像と、服飾アイテム情報と、利用者情報とを、外環境情報取得手段４から得た外気温情報とともにデータベースに登録する画像処理部１０１と、データベースから外部からの検索要求に呼応して検索条件に合った服飾アイテムを検索し、その検索結果としてコートの画像情報を外部へ送出する検索処理部１０２を備えているものであり、本発明の玄関システムから利用者ＩＤとともにコート検索要求が送られてくると、例えばデータベースに登録されている当該利用者のコートを検索してそのコートの画像情報及び当該利用者が現在身に着けている服と組み合わせて着られる頻度情報を玄関システムに返すようになっている。検索要求の条件に外気温を含めるようにすれば、該外気温に近い外気温時に利用者が着衣していたコートを抽出するようにすれば、より最適な条件のコートを提案することもできる。その際に利用者が現在身に着けている服と組み合わせて着られる頻度情報もあわせて制御手段６に送信する。
【００３２】
尚本実施形態では屋外環境情報の降雨確率情報に基づいて「傘」の要否も判断して、利用者に提示するようになっている。図５はこの「傘」の要否の判断のフローチャートを示す。  このフローチャートにより制御手段６による「傘」の要不要判断の動作を簡単に説明する。まず制御手段６は外出情報取得手段１からトリガ情報を受信すると動作を開始し（ステップＳＴ１）、外環境情報取得手段４から利用者宅の場所を考慮した屋外環境情報を受け取る（ステップＳＴ２）。また外出情報収得手段１が行き先情報を取得しているか否かのチェックをステップＳＴ３で行い、取得している場合には制御手段６は外環境情報取得手段４に行き先情報に該当の屋外環境情報の検索要求を送り（ステップＳＴ４）、該当情報を受け取る（ステップＳＴ５）。そして次のステップＳＴ６において、制御手段６は「傘」の要不要の判断を屋外環境情報の中の降水確率情報と予め設定された降水確率閾値とを用いて行い、降水確率閾値より降水確率が高い場合に「傘」が必要と判断し、逆に降水確率閾値より降水確率が低い場合いは「傘」が不要と判断する。そして判断に基づく「傘」の要不要情報を報知装置７に送り（ステップＳＴ７）、「傘」の要不要の判断処理を終了する。
【００３３】
図６，図７は報知装置７のディスプレイＤＳでの表示例を示しており、図６に示す例では屋外環境情報、「傘」の要不要情報、利用者の身体情報、コートの要不要情報がディスプレイＤＳで表示されている。この画面の下部の“所有コート情報閲覧ページへ”のリンクをマウス等でクリックすると制御手段６の制御の下で図６の所有コート情報閲覧ページに遷移する。つまり報知装置７には制御手段６の制御の下でＧＵＩ機能と画像表示機能とを備えている。
【００３４】
図６に示す所有コート情報閲覧ページには利用者の所有コート画像、現在着ている服と一緒に着衣した回数などが表示される。この画面下部の”メインページへ”のリンクをクリックすると図５のメインページに遷移する。
【００３５】
尚報知装置７は、スピーカＳＰから傘の要不要メッセージ、コートの要不要メッセージを報知する機能をも備えている。
【００３６】
而して、本実施形態の玄関システムでは、玄関Ｅｎで取得する屋外環境情報に基づいて利用者が外出する際にコートの必要性を報知することができるので、利用者が外出する際に外気温が低い場合にコートの着衣をせず外出し、忘れたことに気づいて宅内に戻り再度準備することを少なくさせることができる。更に玄関Ｅｎで利用者の身体情報を取得し、その情報と屋外環境情報に基づいて服飾アイテムの提案ができるので、利用者は外出する際に体調にあった服装等を選択することができ、服飾アイテムのミスマッチにより体調を崩す可能性を低下させることができる。また更に玄関Ｅｎで利用者の所有服装の画像情報、現在着衣している服装とともに使用される服飾アイテムの使用頻度情報を表示することができるので、利用者は直接服飾アイテムを取り出す手間なく所有アイテムの中から本日使用するアイテムを選択することができる。
【００３７】
また玄関Ｅｎで取得する屋外環境情報に基づいて利用者が外出する際に傘の必要性を報知することができるので、利用者が外出する際に降雨確率が高い場合に傘の携帯を忘れることが少なくなる。
【００３８】
尚身体情報として花粉症であるか否かの情報を含める場合には次のような提案を行うようにしても良い。
【００３９】
つまり利用者（例えば父）が重度の花粉症であるという情報が身体情報取得手段３により入力され、外出情報取得手段１と個人特定手段２との情報から父が外出しようとする場合に、制御手段６は外環境情報取得手段４が取得した本日の天気予報情報（晴れ、雨など花粉の飛散量を左右する情報）或いは花粉飛散量情報（花粉情報）に基づいて、マスクの着用（携帯）の要否を決定する飛散量の閾値を低く設定し、また軽度の花粉症の利用者（例えば母）に対しては前記閾値を高くするように処理を行い、閾値を越える飛散量の情報が取得されている場合にはマスクの着用（携帯）を提案するようにしても良い。
【図面の簡単な説明】
【００４０】
【図１】実施形態１の回路構成図である。
【図２】実施形態１の玄関回りの構成図である。
【図３】実施形態１の制御手段の服飾アイテムの提案処理のフローチャートである。
【図４】実施形態１に用いる服飾管理装置の概略構成図である。
【図５】実施形態１の制御手段の「傘」の要不要の判断処理のフローチャートである。
【図６】実施形態１の報知装置のディスプレイの表示例図である。
【図７】実施形態１の報知装置のディスプレイの別の表示例図である。
【符号の説明】
【００４１】
１  外出情報取得手段
１０  音声認識部
２  個人特定手段
２０  画像処理部
３  身体情報取得手段
４  外環境情報取得手段
５  記憶手段
６  制御手段
７  報知装置
８  屋外環境情報提供会社のサーバ
９  インターネット
１０  服飾管理装置
ＣＭ  撮像カメラ
Ｓ  人感センサ
ＭＣ  マイク
ＤＳ  ディスプレイ
ＳＰ  スピーカ
【図１】
2006301973.tif 000004
【図２】
2006301973.tif 000005
【図３】
2006301973.tif 000006
【図４】
2006301973.tif 000007
【図５】
2006301973.tif 000008
【図６】
2006301973.tif 000009
【図７】
2006301973.tif 000010